(57)【特許請求の範囲】
【請求項１】
表裏の金属外皮間に芯材を充填するとともに上下部の一方に接続凹部を、他方に接続凸部を形成した外壁パネルの複数枚を接続凹部と接続凸部とを接続してユニット枠に取付け、ユニット枠の上下部の一方に上下方向の摺動のみを許容する嵌合凹部を、他方に嵌合凸部を形成し、ユニット枠にクレーン用の吊下げ部を形成し、上下の嵌合凹部と嵌合凸部との嵌合位置を任意の位置で仮止めする仮止め手段を備えて成ることを特徴とする外壁ユニット。
【請求項２】
接続凹部と接続凸部との間に水密パッキンを介装して成ることを特徴とする請求項１記載の外壁ユニット。
【請求項３】
仮止め手段には微調整をおこなう微調整部を備えて成ることを特徴とする請求項１又は２記載の外壁ユニット。
【請求項４】
仮止め手段は屋内側に位置させて、仮止め手段を操作しているときに上下の外壁パネルの接続凹部と接続凸部との接続を目視できる位置に設けて成ることを特徴とする請求項１又は２又は３記載の外壁ユニット。
【請求項５】
高さを高層階建造物の各階の高さに相当する高さにしてあることを特徴とする請求項１乃至４のいずれかに記載の外壁ユニット。
【請求項６】
表裏の金属外皮間に芯材を充填するとともに上下部の一方に接続凹部を、他方に接続凸部を形成した外壁パネルの複数枚を接続凹部と接続凸部とを接続してユニット枠に取付け、ユニット枠の上下部の一方に上下方向の摺動のみを許容する嵌合凹部を、他方に嵌合凸部を形成し、ユニット枠にクレーン用の吊下げ部を形成し、上下の嵌合凹部と嵌合凸部との嵌合位置を任意の位置で仮止めする仮止め手段を備えて外壁ユニットを構成し、外壁ユニットをクレーンにて吊下げて下位の外壁ユニットとの間で摺動を許容する嵌合凹部と嵌合凸部とを摺動嵌合させるとともにその嵌合位置を外壁パネルの接続凹部と接続凸部との接続が完了する以前で仮止めし、更に上下方向の微調整をおこない、上下の外壁パネルの接続凹部と接続凸部との当接もしくはその直前で本締めおこなって外壁ユニットを接続することを特徴とする外壁の施工方法。
【発明の詳細な説明】
【０００１】
【発明の属する技術分野】
本発明は、外壁ユニット及び外壁の施工方法に関し、詳しくは、大型ビルディング等の高層階建造物の外壁の施工において、表裏の金属外皮間に芯材を充填した外壁パネルの多数枚を使用しながら、施工性を大幅に高め、特に、上下の外壁パネルの接続凹部と接続凸部との接続箇所に多大な荷重がかかることによる変形や破損を防止しようとする技術に係るものである。
【０００２】
【従来の技術】
近来、ビルディングの外壁を施工するのに、図２に示すように、表裏の金属外皮１，２間に芯材３を充填するとともに上下部の一方に接続凹部４を、他方に接続凸部５を形成した外壁パネル６を使用することで、ビルディングの外観を著しく高めるとともに断熱性、耐候性等を充分に高めることができることから普及している。
【０００３】
ところで、上記のような外壁パネル６は、その各々を壁下地に固定具１７にて固定するのであり、膨大な足場が必要となり、大型ビルディングにおいては多大な手数を要して工期が長引くものであり、高層階建造物においては、足場を組めなく、施工が困難になる場合がある。
【０００４】
【発明が解決しようとする課題】
このような問題を解消する手段として、多数枚の外壁パネルをユニット枠に取付け壁ユニットを組立て、この壁ユニットをクレーンで吊上げて接続する工法が考えられ、提案されている。
【０００５】
ところが、このような工法においては、外壁パネルを多数枚取付けた壁ユニットをクレーン工法で上下に接続する際に、上下の壁ユニットの外壁パネルをその接続凹部と接続凸部とを凹凸接続する施工が困難であり、かつ、上の壁ユニットの荷重が凹凸接続箇所にかかる場合には、凹凸接続部を変形し損傷することになるのである。このような場合には、上下一対の壁ユニットを取り換えるのであり、不要な手数を要することになる。
【０００６】
本発明はこのような問題に鑑みてなされたものであり、表裏の金属外皮間に芯材を充填した外壁パネルの多数枚を使用しながら、足場を不要にして施工性を大幅に高め、特に、上下の外壁パネルの接続凹部と接続凸部との接続箇所に多大な荷重がかかることによる変形や破損を防止することができる外壁ユニット及び外壁の施工方法を提供することを課題とするものである。
【０００７】
【課題を解決するための手段】
請求項１においては、表裏の金属外皮１，２間に芯材３を充填するとともに上下部の一方に接続凹部４を、他方に接続凸部５を形成した外壁パネル６の複数枚を接続凹部４と接続凸部５とを接続してユニット枠７に取付け、ユニット枠７の上下部の一方に上下方向の摺動のみを許容する嵌合凹部９を、他方に嵌合凸部１０を形成し、ユニット枠７にクレーン用の吊下げ部１１を形成し、上下の嵌合凹部９と嵌合凸部１０との嵌合位置を任意の位置で仮止めする仮止め手段１３を備えていることを特徴とするものである。このような構成によれば、上の外壁ユニットＡを吊下げてクレーン工法にて下の外壁ユニットＡに接続するのに際して、外壁ユニットＡには、上下方向の摺動のみを許容する嵌合凹部９と嵌合凸部１０とがあるから、上下方向の摺動を許容する嵌合凹部９と嵌合凸部１０とを摺動嵌合させることによって、上の外壁ユニットＡを下の外壁ユニットＡに対して屋内外方向の位置決めができるのであり、クレーン工法を楽におこなうことができ、かつ、上下の外壁ユニットＡ，Ａの外壁パネル６，６の接続凹部４と接続凸部５との接続程度を判断して仮止め手段１３によって仮止めをおこなうことで、上の外壁ユニットＡの多大な荷重が上下の外壁パネル６，６の接続凹部４と接続凸部５との接続箇所にかかるのを回避できるのであり、上下の外壁パネル６，６の接続箇所の変形や損傷を確実に防止することができる。しかして、足場を不要としながら所定通りの施工を迅速におこなうことができるのである。
【０００８】
請求項２においては、接続凹部４と接続凸部５との間に水密パッキン２２を介装していることを特徴とするものである。このような構成によれば、外壁ユニットＡにおける外壁パネル６，６間の充分な水密性を確保することができるとともに、上下方向に接続する外壁ユニットＡ，Ａ間における水密性を確保することができる。
【０００９】
請求項３においては、仮止め手段１３には微調整をおこなう微調整部１４を備えていることを特徴とするものである。このような構成によれば、上下の外壁パネル６の接続凹部４と接続凸部５との接続を、一層、良好におこなうことができるのである。
【００１０】
請求項４においては、仮止め手段１３は屋内側に位置させて、仮止め手段１３を操作しているときに上下の外壁パネル６，６の接続凹部４と接続凸部５との接続を目視できる位置に設けてあることを特徴とするものである。このような構成によれば、仮止め手段１３における微調整部１４の微調整をおこなうにあたって、上下の外壁パネル６，６の接続凹部４と接続凸部５との接続状況を目視しながら上下の微調整をおこなうことができ、上下の外壁パネル６，６の接続凹部４と接続凸部５の接続を所定通りにおこなうことができるのである。
【００１１】
請求項５においては、高さを高層階建造物の各階の高さに相当する高さにしてあることを特徴とするものである。このような構成によれば、高層階建造物の各階の外壁の施工が容易になる。
【００１２】
請求項６においては、表裏の金属外皮１，２間に芯材３を充填するとともに上下部の一方に接続凹部４を、他方に接続凸部５を形成した外壁パネル６の複数枚を接続凹部４と接続凸部５とを接続してユニット枠７に取付け、ユニット枠７の上下部の一方に摺動を許容する嵌合凹部４を、他方に嵌合凸部５を形成し、ユニット枠７にクレーン用の吊下げ部１１を形成し、上下の嵌合凹部４と嵌合凸部５との嵌合位置を任意の位置で仮止めする仮止め手段１３を備えて外壁ユニットＡを構成し、外壁ユニットＡをクレーンにて吊下げて下の外壁ユニットＡとの間で摺動を許容する嵌合凹部４と嵌合凸部５とを摺動嵌合させるとともにその嵌合位置を外壁パネル６の接続凹部４と接続凸部５との接続が完了する以前で仮止めし、更に上下方向の微調整をおこない、上下の外壁パネル６，６の接続凹部４と接続凸部５との当接もしくはその直前で本締めおこなって外壁ユニットＡ，Ａを接続することを特徴とするものである。このような方法によれば、請求項１、請求項３及び４と同様の作用を得るものである。
【００１３】
【発明の実施の形態】
以下、本発明の実施の形態を説明する。図１は部分側面図、図３はクレーン工法を示す概略斜視図である。
【００１４】
外壁ユニットＡは、上下間隔を隔てた例えば、アングル材を横フレーム１８とし、横フレーム１８に例えば、チャンネル材を胴縁１５として取付け、これら横フレーム１８を左右間隔を隔てた縦フレーム１６に溶接等して接続することでユニット枠７を構成し、このようなユニット枠７における胴縁１５に横長の複数枚の外壁パネル６を固定具１７にて固定したものである。外壁パネル６は、例えば横寸法３９６０ｍｍ×縦寸法９１０ｍｍのものを上下に例えば、７枚を張付けるものである。外壁ユニットＡの高さは高層階建造物の各階の高さに相当する高さにしている。このような外壁ユニットＡは、高層階建造物の施工現場や、工場等任意の場所において組立てることができるものである。
【００１５】
外壁パネル６は、図２に示すように、表裏の金属外皮１，２間に、例えば、ロックウールのような無機質材料からなる芯材３を充填するとともに上部に接続凹部４を、他方に接続凸部５を形成したものである。接続凹部４側の表部には固定凹所２０を、接続凸部５側の表部には覆い部２１を形成している。しかして、固定凹所２０に固定具１７を打込んで外壁パネル６の上部を胴縁１５に固定し、接続凹部４に上の外壁パネル６の接続凸部５を嵌合して接続するのであり、この場合、固定凹所２０に覆い部２１が係入して固定具１７を隠している。このような上下方向の接続箇所には水密パッキン２２が介装されて充分な水密性を確保している。
【００１６】
図１及び図３に示すように、縦フレーム１６の上端部には摺動を許容する嵌合凹部９を形成した受部材２３がボルト２４にて固定されて上方に突出している。摺動を許容する嵌合凹部９は上下方向の摺動溝２５と略Ｖ字状に開いた導入溝部２６を備えている。縦フレーム１６の下端部には締付けて本締めが可能なボルト２８及びガイドピン２９を設けていて、ボルト２８とガイドピン２９との２本で、上下の方向性を出すようにしている。又、両端部の縦フレーム１６，１６には吊下げ部１１，１１を取付けてクレーンのフック２７を引掛けることで、外壁ユニットＡを吊下げ施工することができるようにしている。
【００１７】
吊下げ部１１の下方で縦フレーム１６には、上下方向の微調整をおこなうことができる仮止め手段１３を設けている。具体的には、アングル材３０のねじ孔にセットナット３１を付設して調整ボルト３２をねじ込んだものである。一方、建造物側の構造体３３側においては、各階の床部３４を構成する梁材３５にはアングル材の受材３６を調整ボルト３２に対して上下方向に対向させて取付けてある。
【００１８】
このような構成によれば、先ず、クレーンで吊上げた外壁ユニット６を高層階建造物の１階部分に降ろして構造体３３側のアングル材の受材３６に円弧状の板ばね３７を介してボルト３８にて外壁ユニット６をその上下部において固定するのである。次に、２階部分に外壁ユニットＡを施工するのに際して、下の外壁ユニットＡにおけるＶ字状の導入溝部２６を形成した嵌合凹部９に上の外壁ユニットＡの嵌合凸部１０を摺動嵌合させることで、上の外壁ユニットＡを下の外壁ユニットＡに対して屋内外方向の位置決めして接続がおこなえるのであり、クレーン工法を楽におこなうことができるのである。
【００１９】
このように、摺動を許容する嵌合凹部９の摺動溝２５に嵌合凸部１０であるボルト２８及びガイドピン２９が鉛直方向を維持して接続されるのである。この場合、上の外壁ユニットＡと下の外壁ユニットＡとの上下の外壁パネル６，６の接続凹部４と接続凸部５との嵌合程度を判断して、調整ボルト３１を下方に突出して上下方向の微調整をおこなって接続凹部４と接続凸部５とが完全に接続する手前で調整ボルト３１を受材３６に当てて仮止めをおこなうのである。このように、上下の外壁ユニットＡ，Ａを接続する場合に、上の外壁ユニットＡの荷重が下の外壁ユニットＡにかかることを確実に阻止することができるのであり、したがって、上下の外壁パネル６，６の接続凹部４と接続凸部５との接続を所定通りに良好におこなうことができ、接続箇所に多大な荷重がかかるのを回避できて上下の外壁パネル６，６の接続箇所の変形や損傷を確実に防止することができるのである。
【００２０】
この場合、仮止め手段１３は屋内側に位置させて、仮止め手段１３を操作しているときに上下の接続凹部４と接続凸部５との接続を目視できる位置に設けてある。このような構成によれば、仮止め手段１３における微調整部１４の微調整をおこなうにあたって、上下の外壁パネル６，６の接続凹部４と接続凸部５との接続状況を目視しながら上下の微調整をおこなうことができ、上下の外壁パネル６，６の接続凹部４と接続凸部５の接続を所定通りにおこなうことができるのである。
【００２１】
図６は水平断面図を示し、図７は拡大断面図を示し、横方向の外壁ユニットＡ，Ａの水密接続構造を示している。
【００２２】
外壁パネル６の横方向の端部には芯材３に対向して間隔を隔てて側端片４０が折曲げられ、側端片４０に続いて受片４１が折曲げられている。側端片４０と芯材３との間にシールパッキン４２が介装されている。左右のシールパッキン４２，４２の背部には偏平なコ字状の樋体４３の両端片が圧入されている。隣接の外壁パネル６，６の側端片４０，４０には変性シリコン樹脂４４がコーキング剤として充填されている。樋体４３は外壁ユニットＡと略同高さの柱材４５に支持片４６を介して支持されている。このような樋体４３及び柱材４５は各階単位に設置される。この場合、柱材４５は構造体３３側に取付けられ、樋体４３は樋体連結材（図示せず）によって接続される。
【００２３】
ところで、外壁ユニットＡにおいて、上下中間部の複数枚の外壁パネル６を取付けないで、この箇所にサッシ３９を嵌込んで窓とし窓ガラスを嵌込むようにして高層階建造物において連続する窓を形成することもできるものである。
【００２４】
【発明の効果】
請求項１においては、表裏の金属外皮間に芯材を充填するとともに上下部の一方に接続凹部を、他方に接続凸部を形成した外壁パネルの複数枚を接続凹部と接続凸部とを接続してユニット枠に取付け、ユニット枠の上下部の一方に上下方向の摺動のみを許容する嵌合凹部を、他方に嵌合凸部を形成し、ユニット枠にクレーン用の吊下げ部を形成し、上下の嵌合凹部と嵌合凸部との嵌合位置を任意の位置で仮止めする仮止め手段を備えているから、上の外壁ユニットを吊下げてクレーン工法にて下の外壁ユニットに接続するのに際して、外壁ユニットには、上下方向の摺動のみを許容する嵌合凹部と嵌合凸部とがあるから、上下方向の摺動のみを許容する嵌合凹部と嵌合凸部とを摺動嵌合させることによって、上の外壁ユニットを下の外壁ユニットに対して屋内外方向の位置決めができるのであり、クレーン工法を楽におこなうことができ、かつ、上下の外壁ユニットの外壁パネルの接続凹部と接続凸部との接続程度を判断して仮止め手段によって仮止めをおこなうことで、上の外壁ユニットの多大な荷重が上下の外壁パネルの接続凹部と接続凸部との接続箇所にかかるのを回避できるのであり、上下の外壁パネルの接続箇所の変形や損傷を確実に防止することができるのである。しかして、足場を不要して所定通りの施工を迅速におこなうことができるという利点がある。
【００２５】
請求項２においては、接続凹部と接続凸部との間に水密パッキンを介装しているから、請求項１の効果に加えて、外壁ユニットにおける外壁パネル間の充分な水密性を確保することができるとともに、上下方向に接続する外壁ユニット間における水密性を確保することができるという利点がある。
【００２６】
請求項３においては、仮止め手段には微調整をおこなう微調整部を備えているから、請求項１又は２の効果に加えて、上下の外壁パネルの接続凹部と接続凸部との接続を、一層、良好におこなうことができるという利点がある。
【００２７】
請求項４においては、仮止め手段は屋内側に位置させて、仮止め手段を操作しているときに上下の外壁パネルの接続凹部と接続凸部との接続を目視できる位置に設けてあるから、請求項１又は２又は３の効果に加えて、仮止め手段における微調整部の微調整をおこなうにあたって、上下の外壁パネルの接続凹部と接続凸部との接続状況を目視しながら上下の微調整をおこなうことができ、上下の外壁パネルの接続凹部と接続凸部の接続を所定通りにおこなうことができるという利点がある。
【００２８】
請求項５においては、外壁ユニットの高さを高層階建造物の各階の高さに相当する高さにしてあるから、請求項１乃至４のいずれかに記載の効果に加えて、高層階建造物の各階の外壁の施工が容易になる。
【００２９】
請求項６においては、表裏の金属外皮間に芯材を充填するとともに上下部の一方に接続凹部を、他方に接続凸部を形成した外壁パネルの複数枚を接続凹部と接続凸部とを接続してユニット枠に取付け、ユニット枠の上下部の一方に上下方向の摺動のみを許容する嵌合凹部を、他方に嵌合凸部を形成し、ユニット枠にクレーン用の吊下げ部を形成し、上下の嵌合凹部と嵌合凸部との嵌合位置を任意の位置で仮止めするとともに上下方向の微調整をおこなう微調整部を有する仮止め手段を備えて外壁ユニットを構成し、外壁ユニットをクレーンにて吊下げて下位の外壁ユニットとの間で摺動を許容する嵌合凹部と嵌合凸部とを摺動嵌合させるとともにその摺動嵌合位置を外壁パネルの接続凹部と接続凸部との接続が完了する以前で仮止めし、更に下方向の微調整をおこない、上下の外壁パネルの接続凹部と接続凸部との当接もしくはその直前で本締めおこなって外壁ユニットを接続するから、請求項１、請求項３及び４と同様の効果を得ることができる。
【図面の簡単な説明】
【図１】本発明の実施の一形態を示す部分側面図である。
【図２】同上の外壁ユニットの一部省略した断面図である。
【図３】同上のクレーン工法を示す概略斜視図である。
【図４】同上の仮止め手段の斜視図である。
【図５】同上の摺動嵌合構造を示す斜視図である。
【図６】同上の水平断面図である。
【図７】同上の拡大水平断面図である。
【符号の説明】
１    金属外皮
２    金属外皮
３    芯材
４    接続凹部
５    接続凸部
６    外壁パネル
７    下地材
９    摺動を許容する嵌合凹部
１０  嵌合凸部
１１  吊下げ部
１３  仮止め手段
１４  微調整部
Ａ    外壁ユニット
【図１】
0004119578.tif 000002
【図２】
0004119578.tif 000003
【図３】
0004119578.tif 000004
【図４】
0004119578.tif 000005
【図５】
0004119578.tif 000006
【図６】
0004119578.tif 000007
【図７】
0004119578.tif 000008